(57)【要約】【課題】  表示部を有する第一筺体以外に、操作部を有する第二筺体と第三筺体とを備え、第二筺体と第三筺体とが有する操作部を用いた操作の操作性の向上を図ることができる情報通信端末を提供する。【解決手段】  表示部１１０を有する第一筺体１０と、操作部１０２を有する第二筺体２０とを備え、各筺体１０、２０の端部を厚さ方向に連通する回転軸を中心に第一筺体及び第二筺体の一方を他方に対してスライド回転可能な情報通信端末１００において、操作部１０３を有し、且つ回転軸を中心に第一筺体１０と第二筺体２０とに対してスライド回転可能な第三筺体３０を有する。第一筺体１０は操作部を有してもよい。第二筺体２０の操作部１０２は文字入力キーを備え、第三筺体３０の操作部１０３は数字入力キーを備え、第一筺体１０の操作部１０１は第二筺体２０の操作部１０２で入力される文字種を切り替える入力文字切換キーを備えてもよい。【選択図】  図１
2008288668.tif 000002
【特許請求の範囲】
【請求項１】
表示部を有する第一筺体と、操作部を有する第二筺体とを備え、
各筺体の端部を厚さ方向に連通する回転軸を中心に該第一筺体及び該第二筺体の一方を他方に対してスライド回転可能な情報通信端末において、
操作部を有し、且つ、該回転軸を中心に該第一筺体と該第二筺体とに対してスライド回転可能な第三筺体を有することを特徴とする情報通信端末。
【請求項２】
請求項１の情報通信端末において、
上記第一筺体は操作部を有することを特徴とする情報通信端末。
【請求項３】
請求項２の情報通信端末において、
上記第二筺体の操作部は文字入力キーを備え、上記第三筺体の操作部は数字入力キーを備え、上記第一筺体の操作部は該第二筺体の操作部で入力される文字種を切り替える入力文字切換キーを備えることを特徴とする情報通信端末。
【請求項４】
請求項１、２または３の情報通信端末において、
上記第一筺体と上記第二筺体とを上記回転軸を中心にして互いに反対側の回転位置に回転させた状態で、上記第三筺体が該第一筺体及び該第二筺体に対して直角となる回転位置に回転移動可能なことを特徴とする情報通信端末。
【請求項５】
請求項１、２、３または４の情報通信端末において、
上記第二筺体及び上記第三筺体の少なくとも一方は、その操作部の表面に操作案内文字が表示され、上記第一筺体に対する相対的な回転位置に応じて該操作部の操作案内文字の向きを該第一筺体の表示部の表示向きに合せるように変更する操作部表示向き変更手段を備えることを特徴とする情報通信端末。
【発明の詳細な説明】
【技術分野】
【０００１】
本発明は、複数の筺体を備え、一つの筺体が他の筺体に対してスライド可能な携帯電話機等の情報通信端末に関するものである。
【背景技術】
【０００２】
従来、この種の情報通信端末として、表示部を有する第一筺体と、操作部を有する第二筺体の一方を他方に対してスライド可能な携帯電話機が知られている（例えば特許文献１参照）。この携帯電話機では、第一筺体の表示部を上に向けて第一筺体の下側に第二筺体の全体が重なり合っている状態から、第一筺体の長手方向に第二筺体を直線的にスライドさせることにより、第二筺体の操作部を露出させることができる。
さらに、特許文献１の携帯電話機は、第二筺体に対してスライド可能で操作部を有する第三筺体を備えている。この携帯電話機では、第一筺体の表示部を上に向けて第二筺体の下側に第三筺体の全体が重なり合っている状態から、第二筺体の長手方向に第三筺体を直線的にスライドさせることにより、第三筺体の操作部を露出させることができる。そして、第二筺体の操作部と第三筺体の操作部とを露出させた状態では、２つの筺体それぞれの操作部を用いたキー操作を行うことができる。
【０００３】
一方、近年の携帯電話機は通話のみに用いるものではなく、電子メールを送受信する端末としても用いられており、電子メールで送信するメッセージの情報は主に携帯電話機の操作部のキー操作を行うことにより作成される。
従来の携帯電話機では、一つの筺体のみに操作キーを設けたものや、メッセージを作成するときに操作するキーを一つの筺体に集中させたものが主流である。このような携帯電話機であれば、片手で筺体を支持したまま筺体を支持する手の親指で操作部のキー操作を行い易い。
【０００４】
また、携帯電話機を用いて電子メールを送受信することが一般的になった近年では、ユーザーの電子メールの使用形態が多様化している。そして、長文のメッセージを多く作成したり、単なる言葉のメッセージのみではなく装飾機能を多用したメッセージを作成したりすることが多いユーザーもいる。このような長文や装飾機能を多用したメッセージを作成する場合、従来のような片手での操作に適した構造の携帯電話機では、片手の親指のみでキー操作を行うためメッセージの作成に時間を要するという問題があった。
具体的には、通常のメッセージの仮名入力はテンキーと呼ばれる仮名やアルファベットが割り振られた０〜９の数字のキーを用いて行うが、仮名から漢字への変換は選択キーを用いて候補となる漢字から選択することで行う。このようにテンキーによる仮名入力と選択キーを用いた漢字への変換とには複数種のキーを操作する必要があり、一本の指で操作して長文のメッセージを作成するには時間がかかってしまう。また、装飾機能を用いる場合は、テンキーとは別の装飾機能を用いることを選択するキーを操作し、数種の装飾機能から所望の装飾機能を選択する操作を行う。このような装飾機能を使用する操作を通常のメッセージを作成する操作に織り交ぜてメッセージを作成する場合にも複数種のキーを操作する必要があり、一本の指で操作して装飾機能を多用したメッセージを作成するには時間がかかってしまう。
【０００５】
このような問題に対して、ユーザーによっては携帯電話機の筺体を両手で支持し、両手の親指を用いてキー操作を行うことによって、一本の指で操作するキーの種類を少なくしてメッセージの作成時間を短縮しているが、片手の操作に適した配置の各キーを、両手で操作するとそれぞれの指が通過し得る空間が互いに重なってしまい、操作しにくいという問題がある。そこで、特許文献１に記載の携帯電話機のように２つの筺体に設けられた操作部を用いたキー操作を行ってメッセージを作成することができるものであれば、操作性を改善することができる。すなわち、一方の手の指で第二筺体の操作部での操作を行い、他方の手の指で第三筺体の操作部での操作を行うことにより、それぞれの手の指が通過し得る空間の重なり具合を低減することができ、操作性の改善を図ることができる。
【０００６】
【特許文献１】特開２００３−３１９０４４号公報
【発明の開示】
【発明が解決しようとする課題】
【０００７】
しかしながら、特許文献１に記載の携帯電話機は、第二筺体と第三筺体との操作部を操作できる状態にすると、第一筺体、第筺体及び第三筺体がスライド方向、すなわち第一筺体の長手方向に直線的に並んだ位置関係となる。３つの筺体が長手方向に並んだ位置関係となる状態は、両手で操作しようとするとユーザーの正面で右手と左手とが縦に並んだ状態となる。このように右手と左手とが縦に並んだ状態でキー操作を行うことは、多くのユーザーにとって違和感の原因となり操作性を低下させるおそれがある。
このような操作性の低下の問題は、情報通信端末を用いてメールのメッセージを入力するときのみに限るものではない。情報通信端末を用いてインターネット上のウェブサイトのページに情報を入力する場合や情報通信端末でスケジュール管理を行う場合など、情報通信端末のキー操作により情報を入力する場合には同様に生じる問題である。
【０００８】
本発明は、以上の問題に鑑みなされたものであり、その目的とするところは、表示部を有する第一筺体以外に、操作部を有する第二筺体と第三筺体とを備え、第二筺体と第三筺体とが有する操作部を用いた操作の操作性の向上を図ることができる情報通信端末を提供することである。
【課題を解決するための手段】
【０００９】
本発明に係る情報通信端末は、表示部を有する第一筺体と、操作部有する第二筺体とを備え、各筺体の端部を厚さ方向に連通する回転軸を中心に該第一筺体及び該第二筺体の一方を他方に対してスライド回転可能な情報通信端末において、操作部を有し、且つ、該回転軸を中心に該第一筺体と該第二筺体とに対してスライド回転可能な第三筺体を有することを特徴とするものである。
本発明に係る情報通信端末では、第一筺体と第二筺体との端部を厚さ方向に連通する回転軸を中心に第三筺体を第二筺体に対してスライド回転させるため、両手で操作しようとするとユーザーの正面で、第二筺体の操作部と第三筺体の操作部とを斜めに配置した状態や、左右に配置した状態とすることができる。このため、右手と左手とを横方向にずらした状態で操作を行うことができ、右手と左手とが縦に並んだ状態でキー操作を行うものよりも操作時の違和感を軽減することができる。
【００１０】
また、上記情報通信端末において、上記第一筺体は操作部を有するものであってもよい。この場合、第二筺体と第三筺体とに操作部を有するものに加えて、第一筺体にも操作部を有することで、さらに多様な操作を実現することができる。
【００１１】
また、上記情報通信端末において、上記第二筺体の操作部は文字入力キーを備え、上記第三筺体の操作部は数字入力キーを備え、上記第一筺体の操作部は該第二筺体の操作部で入力される文字種を切り替える入力文字切換キーを含むファンクションキーを備えるものであってもよい。この場合、第二筺体に文字入力キーを備え、第一筺体に入力文字切換キーを備えることにより、文字入力キーで入力される文字種の切り換えのメニュー画面を表示部に表示して使用する文字種を選択する操作が不要となる。このため、複数の文字種を用いてメッセージを作成する時間を短縮することができる。さらに、第三筺体に数字入力キーを備えることにより、従来の文字入力キーを用いて数字を入力するもののように、文字入力キーで入力される文字種を文字入力から数字入力に切り替える操作が不要となり、数字を織り交ぜたメッセージを作成する時間を短縮することができる。
【００１２】
また、上記情報通信端末において、上記第一筺体と上記第二筺体とを上記回転軸を中心にして互いに反対側の回転位置に回転させた状態で、上記第三筺体が該第一筺体及び該第二筺体に対して直角となる回転位置に回転移動可能としてもよい。この場合、第一筺体と第二筺体とを回転軸を中心にして互いに反対側の回転位置とすることで、一方の手を用いて第二筺体の操作部で従来のリボルバー型（回転型）の情報通信端末と同様の操作性を実現しつつ、第三筺体を第一筺体及び第二筺体に対して直角となる回転位置、すなわち、第二筺体の操作部に対して第三筺体の操作部を横方向にずらして、右手と左手とを横方向にずらした状態で操作を行うことができ、右手と左手とが縦に並んだ状態でキー操作を行うものよりも操作時の違和感を軽減することができる。
【００１３】
また、上記情報通信端末において、上記第二筺体及び上記第三筺体の少なくとも一方は、その操作部の表面に操作案内文字が表示され、上記第一筺体に対する相対的な回転位置に応じて該操作部の操作案内文字の向きを該第一筺体の表示部の表示向きに合せるように変更する操作部表示向き変更手段を備えるものであってもよい。この場合、操作部表示向き変更手段によって操作案内文字の向きの変更がなされる筺体が第一筺体に対して斜めになっていても、その筺体の操作部の操作案内文字の向きと表示部の表示の向きとが一致するように操作案内文字の向きを変更することにより、表示部の表示を確認しやすい状態で、操作部の操作案内文字を確認し易い向きとすることができる。
【発明の効果】
【００１４】
本発明によれば、第二筺体の操作部と第三筺体の操作部とを操作するときの違和感を軽減できる配置することができるため、表示部を有する第一筺体以外の第二筺体と第三筺体との操作部を用いた操作の操作性が向上するという優れた効果がある。
【発明を実施するための最良の形態】
【００１５】
以下、本発明を携帯型の情報通信端末としての携帯電話機（移動体通信端末）に適用し実施形態について説明する。
図１は本発明の実施形態に係る携帯電話機の外観構成の一例を示す上面図である。図２は同携帯電話機の概略構成の一例を示すブロック図である。本実施形態の携帯電話機１００は、制御手段としての主制御部１２０と、記憶手段としての内部メモリ１２１と、不図示の携帯電話通信網を介して通信を行う通信手段としての無線通信部１２２及びアンテナ１１２と、表示手段としての表示部１２５と、操作手段としてのキー操作部１２６と、時計部１２７とを備えている。
【００１６】
主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、各種処理を指示したり各種データを入力したりするときに利用者によって操作されるキー操作部１２６や時計部１２７も接続されている。
【００１７】
通信手段としての無線通信部１２２及びアンテナ１１２は、電話の通信手段のほか、メールを送受信する手段としても機能する。
【００１８】
内部メモリ１２１は、例えばＲＡＭやＲＯＭなどの半導体メモリで構成され、主制御部１２０で実行する制御プログラムや各種データを記憶するものである。なお、これらの記憶手段としては、内部メモリ１２１ではなく、携帯電話機本体に着脱可能なメモリーカード、ＩＣカード等の記憶媒体を用いてもよい。
【００１９】
表示制御部１２４は、主制御部１２０から送られてきた描画データに基づいて表示部１２５に画像を表示するように制御する。表示部１２５は、液晶パネル等からなるディスプレイ１１０であり、内部メモリ１２１に保存されている画像データ等に基づいて各種画像が表示される。
【００２０】
スピーカ１０９は、音信号処理部１２３でデジタル信号から変換されたアナログ信号が入力され、通話中の音声を出力したり、メールの着信音、電話の呼び出し音、音楽などを出力したりする。このスピーカ１０９及び音信号処理部１２３からなる音発生手段は、受信したメールに添付された添付ファイルを用いて効果音や音楽（楽曲、メロディ）を再生して出力するように、主制御部１２０で制御することができる。
【００２１】
なお、スピーカ１０９は、通話中の音声を聞くための受話器用スピーカ（レシーバ）と、着信音や音楽などを出力する外部出力用スピーカとを別々に設けて構成してもよいし、これらの受話器用スピーカ及び外部出力用スピーカを兼用するように一つのスピーカで構成してもよい。
【００２２】
マイク１０８は、利用者の音声を電気信号（アナログ信号）に変換する。マイク１０８から出力される音声の電気信号（アナログ信号）は、音信号処理部１２３に入力され、デジタル信号に変換される。
【００２３】
時計部１２７は、ＲＴＣ（リアルタイムクロック）等を用いて構成され、現在時刻データを出力する手段として機能する。時計部１２７から出力される現在時刻データは、液晶ディスプレイ（ＬＣＤ）１１０からなる表示部１２５の日時情報の表示に用いたりすることができる。
【００２４】
キー操作部１２６は、第一操作部１０１、第二操作部１０２、及び、第三操作部１０３からなる。図１に示すように、携帯電話機１００は、第一筺体１０、第二筺体２０、及び第三筺体３０からなり、各筺体は、第一操作部１０１、第二操作部１０２、及び、第三操作部１０３をそれぞれ有している。
第一操作部１０１は、ソフトキー１０４、方向キー１０６、文字切換キー１１１等で構成される。第二操作部１０２は文字入力キーであり、設定を切り替えることで、日本語仮名、アルファベット、及び数字等の入力を行うことができる。第三操作部１０３は数字入力キーである。
【００２５】
第一操作部１０１のソフトキー１０４はディスプレイ１１０の画面上の下部に表示される操作アイコンに対応した操作を行うもので、動作中のアプリケーションによって割り当てが切り替わるキーである。図１の状態では左側のソフトキー１０４を押下することで「メニュー」に対応した操作を行う。同様に、中央のソフトキー１０４を押下することで「決定」に対応した操作を行い、右側のソフトキー１０４を押下することで「切替」に対応した操作を行う。
【００２６】
方向キー１０６は、キノコ型をしたキーであり、操作面より利用者側へ突出する態様で実装される。このキーを傾けることでディスプレイ１１０上のカーソルを移動させる。
文字切換キー１１１は、メールのメッセージなどの文章を作成するとき主に用いるファンクションキーである。文字入力キーである第二操作部１０２を押下することにより入力される文字の種類が、文字切換キー１１１で押下したボタンに対応した文字種となる。このため、ディスプレイ１１０で文字種を選択する画面を表示し、使用する文字種を選択する手間を省くことができる。
【００２７】
第一操作部１０１の文字切換キー１１１と、第二操作部１０２との各キーの表面には、各キーを操作することで実行される機能を示す操作案内文字が印字されている。一方、数字入力キーである第三操作部１０３の各キーは内部に発光手段を備える数字キー表示部１０３ｂを有し、発光手段を発光させることにより、操作案内文字の表示を行っている。また、数字キー表示制御部１０３ａが数字キー表示部１０３ｂを制御することにより電気的に操作案内文字の表示を切り替えることができる。数字キー表示制御部１０３ａが数字キー表示部１０３ｂを制御して第三操作部１０３の各キーの操作案内文字の表示を変化させることで、数字キー表示制御部１０３ａと数字キー表示部１０３ｂとが操作部表示向き変更手段として作用する。第三操作部１０３の各キーは数字キータッチセンサー１０３ｃを備えており、キーが押下されたことを検出し、主制御部１２０に検出結果を送信する。なお、数字キー表示部１０３ｂとしては例えば液晶パネルがある。
また、第一操作部１０１と第二操作部１０２との各キーもタッチセンサーを備えており、キーが押下されたことを検出し、主制御部１２０に検出結果を送信する。
【００２８】
ユーザーが携帯電話機１００の電話の機能を使用する場合は、不図示の通話開始キーを押下することで通話を開始し、不図示の終話キーを押下することで通話を終了することができる。また、携帯電話機１００のメール機能を使用する場合は、不図示のメール機能キーを押下することにより、ディスプレイ１１０がメール機能用の画面となり、受信したメールの確認や送信メールのメッセージ作成などを行うことができる。さらに、携帯電話機１００をインターネットに接続する時には不図示のインターネット接続キーを押下することにより、ディスプレイ１１０がインターネット接続用の画面となり、インターネットを経由した各種サービスを利用することができる。
【００２９】
次に、携帯電話機１００の筐体のスライド回転に伴う操作部表示向きの変更について説明する。携帯電話機１００は、表示部であるディスプレイ１１０と第一操作部１０１とを有する第一筺体１０と、第二操作部１０２を有する第二筺体２０と、第三操作部１０３を有する第三筺体３０との三つの筺体から構成される。
【００３０】
図１に示すように、ディスプレイ１１０、第一操作部１０１、第二操作部１０２、及び第三操作部１０３を上方（図１の紙面に垂直な手前側の方向）に向けて露出させた状態で、第一筺体１０の端部の下面側に第二筺体２０の端部が重なる。そして、方向キー１０６の中心を通り第一筺体１０及び第二筺体２０の端部を厚さ方向に連通する回転軸（図１の紙面に垂直な回転軸）を中心に、第二筺体２０が第一筺体１０に対してスライド回転可能となっている。さらに、第一筺体１０の端部と第二筺体２０の端部とが重なる箇所で、第二筺体の端部の下側に第三筺体３０の端部が重なる。第三筺体３０は、第二筺体２０が第一筺体１０に対してスライド回転可能な回転軸と同一の回転軸を中心に、第一筺体１０及び第二筺体２０に対してスライド回転可能となっている。
【００３１】
図３は、図１に示す状態から回転軸を中心に第二筺体２０及び第三筺体３０を回転させて、第一筺体１０の下側に第二筺体２０及び第三筺体３０の全体が重なりあっている状態（以下、「閉状態」という）の説明図である。図３（ａ）は上面図、図３（ｂ）は側面図である。
上述したように方向キー１０６の中心部は、第一筺体１０の下側に第二筺体２０及び第三筺体３０が重なる箇所であり、第二筺体２０及び第三筺体３０の回転軸は図３（ｂ）の回転軸Ｐで示すように３つの筺体を連通する仮想軸である。携帯電話機１００では回転軸Ｐと同軸上で、且つ、３つの筺体を連通する不図示の軸部材を備えており、第二筺体２０及び第三筺体３０はこの軸部材を中心に第一筺体１０に対してスライド回転可能となっている。
【００３２】
携帯電話機１００は、図３に示すような閉状態が最もコンパクトな状態であり、携帯する場合は図３に示すような閉状態で持ち運ばれることが好ましい。閉状態では第二操作部１０２は第一筺体１０の下側に隠れた状態となって操作することはできないが、第一操作部１０１は露出した状態であるので、第一操作部１０１の各キーは操作することができる。よって、第一操作部１０１の何れかのキーに通話開始キー及び終話キーの機能を持たせることにより、閉状態のままで、通話の開始及び終了の操作を行うことができる。また、第一操作部１０１の何れかのキーに通話開始キー及び終話キーの機能を持たせるものに限らず、図３に示す状態で操作可能な箇所に通話開始キー及び終話キーを設けることにより、閉状態のままで、通話の開始及び終了の操作を行うことができる。
【００３３】
図４は、図３に示す閉状態から回転軸Ｐを中心に第二筺体２０及び第三筺体３０を回転させて、第二筺体２０の第二操作部１０２を露出させた状態（第二操作部展開状態）の説明図である。図４（ａ）は上面図、図４（ｂ）は側面図である。図３に示す閉状態から回転軸Ｐを中心に第二筺体２０と第三筺体３０とを重ねた状態で矢印Ｂ方向に1８０［°］のスライド回転させることにより、図４に示す第二操作部展開状態となる。
【００３４】
携帯電話機１００では図４に示す第二操作部展開状態とすることにより、文字入力キーでる第二操作部１０２を操作して従来の携帯電話機と同様にメッセージなどの文章の入力を行うことができる。このとき、第一操作部１０１の文字切換キー１１１を操作することにより、日本語の仮名、数字、アルファベットなど第二操作部１０２を操作することにより入力される文字種を選択することができる。第一操作部１０１がファンクションキーとしての文字切換キー１１１を備えることにより、文字入力キーで入力される文字種の切り換えのメニュー画面を表示部に表示して使用する文字種を選択する操作が不要となる。このため、複数の文字種を用いてメッセージを作成する時間を短縮することができる。
【００３５】
図４に示す第二操作部展開状態から回転軸Ｐを中心に第三筺体３０を矢印Ａ方向に９０［°］のスライド回転させることにより、図１に示すように第三操作部１０３も露出し、すべての操作部が露出した状態（全操作部展開状態）となる。
図１に示すように、第三筺体３０の第三操作部１０３は数字入力キーを備えている。このため、文字入力キーを用いて数字を入力する従来の携帯電話機のように文字入力キーで入力される文字種を仮名入力から数字入力に切り替える操作が不要となり、数字を織り交ぜたメッセージを作成する時間を短縮することができる。
【００３６】
なお、本実施形態の携帯電話機１００ではディスプレイ１１０を有する第一筺体１０以外の第二筺体２０と第三筺体３０のうち、仮名入力機能を備えない第三筺体３０の第三操作部１０３は数字入力キーである。しかし、仮名入力機能を備える文字入力キーを備えない操作部で入力できる文字は数字に限るものではない。例えば、携帯電話機１００の第三操作部１０３で数字を入力する機能の代わりにアルファベットを入力する機能を備えていてもよい。さらに、第三操作部１０３では数字とアルファベットとを入力可能として、第二操作部１０２で日本語仮名の入力を行い、第三操作部１０３で数字とアルファベットとを切り替えて入力できるようにしてもよい。
【００３７】
図１に示す全操作部展開状態では、第三操作部１０３は第二操作部１０２に対して斜めの位置となる左奥側に位置しており、第二操作部１０２を右手で操作し、第三操作部１０３を左手で操作するのに適した配置である。この状態で両手を使って操作する場合、右手と左手とを横方向にずらした状態で操作を行うことができ、右手と左手とが縦に並んだ状態でキー操作を行うものよりも操作時の違和感を軽減することができる。このため、表示部であるディスプレイ１１０を有する第一筺体１０以外の第二筺体２０及び第三筺体３０がそれぞれ有する第二操作部１０２及び第三操作部１０３を用いた操作の操作性の向上を図ることができる。
【００３８】
また、実施形態の携帯電話機１００のように、ディスプレイ１１０を有する第一筺体１０は第一操作部１０１を有することにより、第二操作部１０２での文字種の切換を第一操作部１０１で行うことができる。また、ディスプレイ１１０の画面上に表示される操作アイコンに対応した操作を行うソフトキー１０４をディスプレイ１１０に近接して配置することができるので、ソフトキー機能を用いる操作を行いやすくなる。さらに、携帯電話機１００を最もコンパクトな状態とすることができる閉状態でも、ある程度の操作を行うことができるようになる。
このように、第一筺体１０が第一操作部１０１を有することにより、操作手段が第二操作部１０２と第三操作部１０３とのみの場合よりも多様なキー操作を実現することができる。
【００３９】
また、本実施形態の携帯電話機１００は、図１に示すように、第一筺体１０と第二筺体２０とを回転軸Ｐを中心にして互いに反対側の回転位置に回転させた状態で、第三筺体３０を第一筺体１０及び第二筺体２０に対して直角となる回転位置に回転移動することができる。この場合、第一筺体１０と第二筺体２０とを回転軸Ｐを中心にして互いに反対側の回転位置とすることで、右手を用いて第二操作部１０２で従来のリボルバー型（回転型）の携帯電話機と同様の操作性を実現することができる。さらに、第三筺体３０を第一筺体１０及び第二筺体２０に対して直角となる回転位置とすることで、第二操作部１０２に対して第三操作部１０３を横方向にずらして、右手と左手とを横方向にずらした状態で操作を行うことができる。このため、右手と左手とが縦に並んだ状態でキー操作を行うものよりも操作時の違和感を軽減することができる。
【００４０】
図１に示す第二筺体２０と第三筺体３０との配置は、第二操作部１０２の文字入力を右手で行うときに適した配置である。しかし、ユーザーによっては左手で文字入力を行うことに慣れたユーザーもおり、このようなユーザーにとっては文字入力を行う第二操作部１０２が数字を入力する第三操作部１０３に対して手前右側に来る配置では、第二操作部１０２を用いた文字入力を行い難い。このような問題に対して、携帯電話機１００は、第二操作部１０２の位置が第三操作部１０３の位置に対して手前左側、すなわち、第三操作部１０３の位置が第二操作部１０２の位置に対して右奥側になるように配置することができる。
【００４１】
図５は、第二操作部１０２の文字入力を左手で行うときに適した配置の全操作部展開状態の携帯電話機１００の上面図である。
図４に示す第二操作部展開状態から回転軸Ｐを中心に第三筺体３０を矢印Ｃ方向に９０［°］のスライド回転させることにより、図５に示すように、第一操作部１０１及び第二操作部１０２に対して第三操作部１０３が右側に位置する全操作部展開状態となる。
このように、第三操作部１０３の位置が第二操作部１０２の位置に対して右奥側になるように配置することにより、右手で第三操作部１０３を操作し、左手で第二操作部１０２での文字入力が行い易くなる。
【００４２】
図５に示す全操作部展開状態の携帯電話機１００は、図１の状態から第三筺体３０を、回転軸を中心に１８０［°］回転させた状態である。ここで、第三操作部１０３の各キーの操作案内文字が各キーに印字されているものであると、第三筺体３０を１８０［°］回転させたときに各キーの操作案内文字が上下反転し、表示が確認しにくくなる。
このような問題に対して、本実施形態の携帯電話機１００は、第一筺体１０に対する第三筺体３０の相対的な回転位置に応じて、第三操作部１０３の操作案内文字の向きをディスプレイ１１０の表示向きに合せるように変更する操作部表示向き変更手段を備えている。
【００４３】
携帯電話機１００では、操作部表示向き変更手段として、第三筺体回転位置センサー４０と、数字キー表示制御部１０３ａと、数字キー表示部１０３ｂとを備えている。第三筺体回転位置センサー４０は、回転軸Ｐ周りについて、第一筺体１０に対する第三筺体３０の回転位置の変化を検出する検出手段である。
【００４４】
本実施形態の携帯電話機１００では、第一筺体１０に対する第三筺体３０の回転位置についての第三筺体回転位置センサー４０の検出結果に基づいて、第一筺体１０と第三筺体３０との位置関係の情報を主制御部１２０が生成し、数字キー表示制御部１０３ａに送信する。数字キー表示制御部１０３ａは第一筺体１０と第三筺体３０との位置関係の情報に基づいて、そのときの位置関係に適した操作案内文字の表示となるように数字キー表示部１０３ｂを制御する。この構成では、第三筺体３０を第一筺体１０に対して回転させると、第一筺体１０と第三筺体３０との位置関係が変化し、操作案内文字の表示もそのときの位置関係に適した表示となるように変化する。このため、第一筺体１０に対する第三筺体３０の相対的な回転位置に応じて、ディスプレイ１１０の表示の向きに第三操作部１０３の操作案内文字の向きを合せるように、第三筺体３０本体に対して第三操作部１０３の操作案内文字の向きを変更することができる。
【００４５】
また、第三筺体３０本体に対して第三操作部１０３の各キーの操作案内文字の向きを変更するのみであると、キー配置の上下が逆転してしまう。詳しくは、図１に示す状態で第三操作部１０３の右端のキー配置は、上から順に「１」、「２」、「３」となっているが、各キーの操作案内文字の向きを変更するのみである場合に、第三筺体３０を１８０［°］のスライド回転させると、第三操作部１０３の左端のキー配置は、上から順に「３」、「２」、「１」となってしまう。
【００４６】
このような問題に対して、携帯電話機１００では第一筺体１０に対する第三筺体３０の相対的な回転位置に応じて、第三操作部１０３の各キーの操作案内文字の表示内容も変更している。詳しくは、図１に示す状態で、「１」、「４」、「７」、「＊」を表示していたキーが、それぞれ「３」、「６」、「９」、「＃」を表示するように変更する。同様に、「３」、「６」、「９」、「＃」を表示していたキーが、それぞれ「１」、「４」、「７」、「＊」を表示するように変更する。なお、この各キーの表示内容の変更に合せて、各キーの数字キータッチセンサー１０３ｃからの入力情報に基づく、主制御部１２０における処理も変更する。
これにより、第三操作部１０３の第一操作部１０１に対する位置を変更しても第三操作部１０３のキー配置を操作に適したキー配置とすることができる。
【００４７】
図１及び図２を用いて説明した状態では、回転軸Ｐを中心にして互いに反対側の回転位置に回転させた第一筺体１０及び第二筺体２０に対して第三筺体３０が直角となる回転位置に回転移動させた状態について説明した。第三筺体３０の位置としては、回転軸Ｐを中心にして互いに反対側に配置された第一筺体１０と第二筺体２０とに対して斜めとなるように配置してもよい。
図６は、第三筺体３０を、回転軸Ｐを中心にして互いに反対側に配置された第一筺体１０と第二筺体２０とに対して斜めとなるように配置した状態の携帯電話機１００の上面図である。
【００４８】
携帯電話機１００は、図６に示すように第三筺体３０を第一筺体１０と第二筺体２０とに対して斜めとなるように配置した場合でも、第三筺体回転位置センサー４０で、第一筺体１０に対する第三筺体３０の回転位置を検出して、第三操作部１０３の操作案内文字の向きをディスプレイ１１０の表示向きに合せることができる。
【００４９】
第三筺体３０を、第一筺体１０に対して斜めに配置すると、図６に示すように第三操作部１０３のキーの一部が、第二筺体２０の下側に隠れて操作できなくなる。このような問題に対して、本実施形態の携帯電話機１００は、第一筺体１０と第三筺体３０との位置関係と、第二筺体２０の下側に隠れて操作できなくなる第三操作部１０３のキーとの情報を内部メモリ１２１に予め入力しておく。そして、主制御部１２０は、位置関係の検出結果に応じて、操作できなくなるキーの機能を他のキーに振り分けるように制御する。詳しくは、数字キー表示制御部１０３ａを制御することにより、数字キー表示部１０３ｂによる表示を図６に示すように変更する。
【００５０】
図６に示す状態では、図１に示す状態で「３」を表示していたキーが第二筺体２０の下側に隠れているので、図１に示す状態で「６」、「９」、「＃」を表示していたキーが、それぞれ、「３」、「６」、「９」を表示するように変更する。さらに、「＊」を表示していたキーが、「＊」と「＃」とを表示するように変更する。なお、この各キーの表示内容の変更に合せて、各キーの数字キータッチセンサー１０３ｃからの入力情報に基づく、主制御部１２０における処理も変更する。このとき、「＊」と「＃」とを表示するように変更したキーは、「＊」を押下することにより入力できる文字と「＃」を押下することにより入力できる文字とを、連続して押下することにより選択して入力することができる。
なお、第三操作部１０３の最も望まれる角度方向について、ユーザーに対し所定の静止感を与えるため、上記の回転動作において所定のラッチ機構を設けてもよい。
【００５１】
〔変形例〕
実施形態の携帯電話機１００では、第二操作部１０２の操作案内文字は各キーに印字されているため、第二筺体２０の第一筺体１０に対する回転位置を変化させても案内文字の向きは変化しない。
以下、変形例として、第一筺体１０に対する第二筺体２０の相対的な回転位置に応じて、第二操作部１０２の操作案内文字の向きをディスプレイ１１０の表示向きに合せるように変更する操作部表示向き変更手段を備える構成について説明する。
【００５２】
図７は変形例の携帯電話機１００の概略構成の一例を示すブロック図である。
図７に示すように、変形例の携帯電話機１００は第二筺体回転位置センサー５０を備える点と、第二操作部１０２が文字キー表示制御部１０２ａ及び文字キー表示部１０２ｂを備える点で実施形態の携帯電話機１００と異なる。他の点については、実施形態の携帯電話機１００と共通するので共通する点については説明を省略する。
変形例の携帯電話機１００の第二操作部１０２の各キーは第三操作部１０３と同様に、内部に発光手段を備える文字キー表示部１０２ｂを有し、発光手段を発光させることにより、操作案内文字の表示を行っている。また、文字キー表示制御部１０２ａが文字キー表示部１０２ｂを制御することにより電気的に操作案内文字の表示を切り替えることができる。文字キー表示制御部１０２ａが文字キー表示部１０２ｂを制御して第二操作部１０２の各キーの操作案内文字の表示を変化させる。第二操作部１０２の各キーは文字キータッチセンサー１０２ｃを備えており、キーが押下されたことを検出し、主制御部１２０に検出結果を送信する。
【００５３】
このように、変形例の携帯電話機１００では、第三操作部１０３の操作部表示向き変更手段のほかに、第二操作部１０２の操作部表示向き変更手段として、第二筺体回転位置センサー５０と、文字キー表示制御部１０２ａと、文字キー表示部１０２ｂとを備えている。第二筺体回転位置センサー５０は、回転軸Ｐ周りについて、第一筺体１０に対する第二筺体２０の回転位置の変化を検出する検出手段である。
【００５４】
変形例の携帯電話機１００では、第一筺体１０に対する第二筺体２０の回転位置についての第二筺体回転位置センサー５０の検出結果に基づいて、第一筺体１０と第二筺体２０との位置関係の情報を主制御部１２０が生成し、文字キー表示制御部１０２ａに送信する。文字キー表示制御部１０２ａは第一筺体１０と第二筺体２０との位置関係の情報に基づいて、そのときの位置関係に適した操作案内文字の表示となるように文字キー表示部１０２ｂを制御する。この構成では、第二筺体２０を第一筺体１０に対して回転させると、第一筺体１０と第二筺体２０との位置関係が変化し、操作案内文字の表示もそのときの位置関係に適した表示となるように変化する。このため、第一筺体１０に対する第二筺体２０の相対的な回転位置に応じて、ディスプレイ１１０の表示向きに第二操作部１０２の操作案内文字の向きを合せるように、第二筺体２０本体に対して第二操作部１０２の操作案内文字の向きを変更することができる。
【００５５】
図８は、第一筺体１０の長手方向に対して、第二筺体２０と第三筺体３０との長手方向が斜めになるように、第二筺体２０及び第三筺体３０を配置した携帯電話機１００の上面図である。変形例の携帯電話機１００のように、第二操作部１０２の操作部表示向き変更手段を備えるものであれば、第二筺体２０を第一筺体１０に対して斜めに配置しても、第二操作部１０２の各キーの操作案内文字の向きをディスプレイ１１０の表示の向きに合せることができる。
【００５６】
図９は、第一筺体１０の長手方向に対して、第二筺体２０と第三筺体３０との長手方向が直角になるように、第二筺体２０及び第三筺体３０を配置した携帯電話機１００の上面図である。変形例の携帯電話機１００のように、第二操作部１０２の操作部表示向き変更手段を備えるものであれば、第二筺体２０を第一筺体１０に対して直角に配置しても、第二操作部１０２の各キーの操作案内文字の向きをディスプレイ１１０の表示の向きに合せることができる。
【００５７】
図８及び図９に示すように、変形例の携帯電話機１００であれば、第一筺体１０に対する第二筺体２０及び第三筺体３０の回転位置がどのような位置であっても、第二操作部１０２と第三操作部１０３との各キーの操作案内文字の向きをディスプレイ１１０の表示の向きに合せることができる。このため、第一筺体１０対する第二筺体２０及び第三筺体３０の回転位置をユーザーが操作しやすい位置に設定することができるので、第二操作部１０２と第三操作部１０３とを用いた操作の操作性が向上する。
【００５８】
以上、本実施形態によれば、第三操作部１０３を有する第三筺体３０が回転軸Ｐを中心に、第一筺体１０と第二筺体２０とに対してスライド回転可能となっているので、携帯電話機１００では、第三操作部１０３は第二筺体２０の操作部である第二操作部１０２に対して斜めとなる左奥側の位置に配置することができる。このとき、第二操作部１０２を右手で操作し、第三操作部１０３を左手で操作することにより、右手と左手とを横方向にずらした状態で操作を行うことができ、右手と左手とが縦に並んだ状態でキー操作を行うものよりも操作時の違和感を軽減することができる。このため、表示部であるディスプレイ１１０が配置された第一筺体１０以外の第二筺体２０と第三筺体３０とに配置された第二操作部１０２と第三操作部１０３とを用いた操作の操作性の向上を図ることができる。
【００５９】
また、実施形態の携帯電話機１００のように、ディスプレイ１１０を配置した第一筺体１０に第一操作部１０１を配置することにより、操作手段が第二操作部１０２と第三操作部１０３とのみの場合よりも多様なキー操作を実現することができる。
【００６０】
また、本実施形態の携帯電話機１００は、図１に示すように、第一筺体１０と第二筺体２０とを回転軸Ｐを中心にして互いに反対側の回転位置に回転させた状態で、第三筺体３０を第一筺体１０及び第二筺体２０に対して直角となる回転位置に回転移動可能である。このため、第一筺体１０と第二筺体２０とを回転軸Ｐを中心にして互いに反対側の回転位置とすることで、右手を用いて第二操作部１０２で従来のリボルバー型（回転型）の携帯電話機と同様の操作性を実現することができる。さらに、第三筺体３０を第一筺体１０及び第二筺体２０に対して直角となる回転位置とすることで、第二操作部１０２に対して第三操作部１０３を横方向にずらして、右手と左手とを横方向にずらした状態で操作を行うことができる。このため、右手と左手とが縦に並んだ状態でキー操作を行うものよりも操作時の違和感を軽減することができる。
【００６１】
また、第二操作部１０２が文字入力キーで、第一操作部１０１が第二操作部１０２で入力される文字種を切り替える入力文字切換キーである文字切換キー１１１を備えることにより、文字入力キーである第二操作部１０２を押下することにより入力される文字の種類が、文字切換キー１１１で押下したボタンに対応した文字種となるため、ディスプレイ１１０で文字種を選択する画面を表示し、使用する文字種を選択する手間を省くことができる。さらに、第三操作部１０３が数字入力キーを備えるため、文字入力キーを用いて数字を入力する従来の携帯電話機のように文字入力キーで入力される文字種を仮名入力から数字入力に切り替える操作が不要となり、数字を織り交ぜたメッセージを作成する時間を短縮することができる。
【００６２】
また、操作部表示向き変更手段としての、第三筺体回転位置センサー４０と、数字キー表示制御部１０３ａと、数字キー表示部１０３ｂとを備え、第三筺体回転位置センサー４０の検出結果に基づいて、数字キー表示制御部１０３ａが数字キー表示部１０３ｂを制御することにより、第一筺体１０に対する第三筺体３０の相対的な回転位置に応じて、第三操作部１０３の操作案内文字の向きを、ディスプレイ１１０の表示向きに合せるように変更することができる。これにより、第一筺体１０に対する第三筺体３０の回転位置が変化しても、第三操作部１０３の操作案内文字の向きを、ディスプレイ１１０の表示向きに合せることができ、操作案内文字を認識し易い状態を保つことができる。よって、ユーザーが操作し易い位置に第三筺体３０をスライド回転させても第三操作部１０３の操作案内文字は認識し易い状態であるので、第三操作部１０３を用いた操作の操作性を向上することができる。
【図面の簡単な説明】
【００６３】
【図１】本実施形態に係る携帯電話機の外観構成の一例を示す上面図。
【図２】同携帯電話機の概略構成の一例を示すブロック図。
【図３】第一筺体の下側に第二筺体と第三筺体との全体が重なりあっている閉状態の説明図。図３（ａ）は上面図、図３（ｂ）は側面図。
【図４】同携帯電話機の第二操作部展開状態を示す上面図。
【図５】第二操作部の文字入力を左手で行うときに適した配置の携帯電話機の上面図。
【図６】第三筺体を第一筺体と第二筺体とに対して斜めとなるように配置した状態の携帯電話機の上面図。
【図７】変形例の携帯電話機の概略構成の一例を示すブロック図。
【図８】第一筺体に対して第二筺体と第三筺体とが斜めになるように配置した変形例の携帯電話機の上面図。
【図９】第一筺体に対して第二筺体と第三筺体とが直角になるように配置した変形例の携帯電話機の上面図。
【符号の説明】
【００６４】
１０    第一筺体
２０    第二筺体
３０    第三筺体
４０    第三筺体回転位置センサー
５０    第二筺体回転位置センサー
１００  携帯電話機
１０１  第一操作部
１０２  第二操作部
１０２ａ  文字キー表示制御部
１０２ｂ  文字キー表示部
１０２ｃ  文字キータッチセンサー
１０３  第三操作部
１０３ａ  数字キー表示制御部
１０３ｂ  数字キー表示部
１０３ｃ  数字キータッチセンサー
１０４  ソフトキー
１０６  方向キー
１１０  ディスプレイ
１１１  文字切換キー
１２０  主制御部
１２１  内部メモリ
１２４  表示制御部
１２５  表示部
１２６  キー操作部
【図１】
2008288668.tif 000003
【図２】
2008288668.tif 000004
【図３】
2008288668.tif 000005
【図４】
2008288668.tif 000006
【図５】
2008288668.tif 000007
【図６】
2008288668.tif 000008
【図７】
2008288668.tif 000009
【図８】
2008288668.tif 000010
【図９】
2008288668.tif 000011